(57)【要約】      （修正有）【課題】調速共振器のための脱進機システムの代替案を提供する。【解決手段】脱進機システム２２と協働する共振器２３を含む時計であり、脱進機システム２２は、テンプ１と同軸に配設されかつ時計の歯車列によって駆動される可動ガンギ車３、第１の歯部６を有する第１の固定ホイール、第２の歯部８を有する第２の固定ホイール、並びにヒゲゼンマイ２４の外側端部１０を固定するためのデバイス９を含み、デバイス９は、可動ガンギ車３に対してヒンジ留めされる部品１１を含み、部品１１は、外側端部１０の、第１の歯部６と第２の歯部８との間での径方向運動を保証し、これによって共振器２３を維持して、共振器２３の運動を時計の歯車列に伝達するよう配設される。【選択図】図１１
2014206534.tif 000002
【特許請求の範囲】
【請求項１】
ヒゲゼンマイ（２、２４）と連携するテンプ（１）で形成された、脱進機システム（１８、２１、２２）と協働する共振器（１５、２０、２３）を含む時計であって、
前記脱進機システム（１８、２１、２２）は、前記テンプ（１）と同軸に配設されかつ前記時計の歯車列によって駆動される可動ガンギ車（３）、第１の歯部（６）を有する第１の固定ホイール（５）、及び第２の歯部（８）を有する第２の固定ホイール（７）を含み、
前記第１の固定ホイール（５）は、前記第２の固定ホイール（７）内において同一平面上に、閉鎖チャネル（５６）を形成する空間を残すように配設され、
前記第１の固定ホイール（５）及び前記第２の固定ホイール（７）は、前記可動ガンギ車（３）と同軸に配設され、
また脱進機システム（１８、２１、２２）は、前記ヒゲゼンマイ（２、２４）の外側端部（１０）を固定するためのデバイス（９）を含み、
前記デバイス（９）は、前記可動ガンギ車（３）に対してヒンジ留めされる部品（１１）を含み、
前記部品（１１）は、前記ヒゲゼンマイ（２、２４）の巻きの状態に応じて、前記外側端部（１０）の、前記第１の歯部（６）と前記第２の歯部（８）との間での径方向運動を保証し、これによって前記共振器（１５、２０、２３）を維持して、前記共振器（１５、２０、２３）の運動を前記時計の前記歯車列に伝達するよう配設される
ことを特徴とする、時計。
【請求項２】
前記可動ガンギ車（３）に対してヒンジ留めされる前記部品（１１）は、前記第１の歯部（６）及び前記第２の歯部（８）と協働するための少なくとも１つのインパルスピン（１４）を含むことを特徴とする、請求項１に記載の時計。
【請求項３】
前記ヒゲゼンマイ（２）の前記外側端部（１０）は、前記可動ガンギ車（３）に対してヒンジ留めされた前記部品（１１）の自由端部（１３）と一体化されることを特徴とする、請求項１又は２に記載の時計。
【請求項４】
前記ヒゲゼンマイ（２）の前記外側端部（１０）は、前記少なくとも１つのインパルスピン（１４）と一体化されることを特徴とする、請求項２又は３に記載の時計。
【請求項５】
ヒゲゼンマイ（２）と連携するテンプ（１）で形成された、脱進機システム（２５）と協働する共振器（２６）を含む時計であって、
前記脱進機システム（２５）は、前記テンプ（１）と同軸に配設されかつ前記時計の歯車列によって駆動される可動ガンギ車（３）、第１の歯部（７２）を有する第１の固定ホイール（７０）、及び前記第１の固定ホイール（７０）の上側に設置された、第２の歯部（７３）を有する第２の固定ホイール（７１）を含み、
前記第１の歯部（７２）は、前記第２の歯部（７３）より小さい内径を有し、
前記第１の固定ホイール（７０）及び前記第２の固定ホイール（７１）は、前記可動ガンギ車（３）と同軸に配設され、
また脱進機システム（２５）は、前記ヒゲゼンマイ（２）の外側端部（１０）を固定するためのデバイス（７４）を含み、
前記デバイス（７４）は、前記可動ガンギ車（３）に対してヒンジ留めされる部品（７５）を含み、
前記部品（７５）は、前記ヒゲゼンマイ（２）の巻きの状態に応じて、前記外側端部（１０）の、前記第１の歯部（７２）と前記第２の歯部（７３）との間での径方向運動を保証し、これによって前記共振器（２６）を維持して、前記共振器（２６）の運動を前記時計の前記歯車列に伝達するよう配設される
ことを特徴とする、時計。
【請求項６】
前記可動ガンギ車（３）に対してヒンジ留めされる前記部品（７５）は、前記第１の歯部（７２）及び前記第２の歯部（７３）と協働するための少なくとも１つのインパルスピン（７７、７９）を含むことを特徴とする、請求項５に記載の時計。
【請求項７】
前記固定デバイス（７４）の前記ヒンジ留め部品（７５）は、前記第１の歯部（７２）と協働するよう配設された第１の前記インパルスピン（７７）がその端部に固定された第１のアーム（７６）、及び前記第２の歯部（７３）と協働するよう配設された第２の前記インパルスピン（７９）がその端部に固定された第２のアーム（７８）を含むことを特徴とする、請求項６に記載の時計。
【請求項８】
前記部品（７５）の前記アーム（７６、７８）は高さに関してオフセットされることを特徴とする、請求項７に記載の時計。
【請求項９】
前記ヒゲゼンマイ（２）の前記外側端部（１０）は、前記可動ガンギ車（３）に対してヒンジ留めされた前記部品（７５）の自由端部と一体化されることを特徴とする、請求項６〜８のいずれか１項に記載の時計。
【請求項１０】
前記ヒゲゼンマイ（２）の前記外側端部（１０）は、前記少なくとも１つのインパルスピン（７７、７９）と一体化されることを特徴とする、請求項６〜８のいずれか１項に記載の時計。
【請求項１１】
前記第１の固定ホイール（５、７０）及び前記第２の固定ホイール（７、７１）は、単一の部品として作製されることを特徴とする、請求項１〜１０のいずれか１項に記載の時計。
【請求項１２】
ヒゲゼンマイ（１２４）と連携するテンプ（１０１）で形成された、脱進機システム（１２２）と協働する共振器（１２３）を含む時計であって、
前記脱進機システム（１２２）は、前記テンプ（１０１）と同軸に配設されかつ前記時計の歯車列によって駆動される可動ガンギ車（１０３）、第１の一連の歯（１０６）、及び第２の一連の歯（１０８）を含み、
前記一連の歯（１０６、１０８）は、円形かつ前記可動ガンギ車（１０３）と同軸に分布しており、
前記第１の一連の歯（１０６）は、前記第２の一連の歯（１０８）と同一平面上において、前記第２の一連の歯（１０８）より小さい直径上に円形に分布しており、
また脱進機システム（１２２）は、前記ヒゲゼンマイ（１２４）の外側端部（１１０）を固定するためのデバイス（１０９）を含み、
前記デバイス（１０９）は、前記可動ガンギ車（１０３）に対してヒンジ留めされる部品（１１１）を含み、
前記部品（１１１）は、前記ヒゲゼンマイ（１２４）の巻きの状態に応じて、前記外側端部（１１０）の、前記第１の一連の歯（１０６）と前記第２の一連の歯（１０８）との間での径方向運動を保証し、これによって前記共振器（１２３）を維持して、前記共振器（１２３）の運動を前記時計の前記歯車列に伝達するよう配設される
ことを特徴とする、時計。
【請求項１３】
前記可動ガンギ車（１０３）に対してヒンジ留めされる前記部品（１１１）は、前記第１の一連の歯（１０６）及び前記第２の一連の歯（１０８）と協働するための少なくとも１つのインパルスピン（１１４）を含むことを特徴とする、請求項１２に記載の時計。
【請求項１４】
前記ヒゲゼンマイ（１２４）の前記外側端部（１１０）は、前記可動ガンギ車（１０３）に対してヒンジ留めされた前記部品（１１１）の自由端部（１１３）と一体化されることを特徴とする、請求項１２又は１３に記載の時計。
【請求項１５】
前記ヒゲゼンマイ（１２４）の前記外側端部（１１０）は、前記少なくとも１つのインパルスピン（１１４）と一体化されることを特徴とする、請求項１３又は１４に記載の時計。
【請求項１６】
前記可動ガンギ車（３、１０３）は、前記時計の固定部品に対してボール軸受け（４１、１４１）を用いて可動に設置されることを特徴とする、請求項１〜１５のいずれか１項に記載の時計。
【請求項１７】
前記時計の前記固定部品は、地板であることを特徴とする、請求項１６に記載の時計。
【請求項１８】
前記テンプ（１、１０１）及び前記ヒゲゼンマイ（２、２４、１２４）の前記内側端部（５０、１５０）は、受け（４４、１４４）と、前記第１の歯部（６、７２、１０６）の幾何学的中心との間で枢動するアーバ（４３、１４３）に固定されることを特徴とする、請求項１〜１７のいずれか１項に記載の時計。
【請求項１９】
前記可動ガンギ車（３）は、前記共振器（２０）を含むフレーム（４５）で形成され、
前記テンプ（１）及び前記ヒゲゼンマイ（２）の内側端部（５０）は、前記フレーム（４５）の壁部（４７、４８）の間で枢動するアーバ（４６）に固定され、
前記フレームは、受け（４９）と、前記第１の固定ホイール（５）の幾何学的中心との間で枢動する
ことを特徴とする、請求項１〜１１のいずれか１項に記載の時計。
【請求項２０】
前記少なくとも１つのインパルスピン（１４、７７、７９）は磁化され、かつ前記歯部（６、８、７２、７３）又は前記歯（１０６、１０８）は、１．５超の透磁率を有する常磁性材料で作製され、これによって、前記歯部と前記少なくとも１つのインパルスピンとの間の磁力結合が可能となることを特徴とする、請求項２〜４、６〜１１、１３〜１９のいずれか１項に記載の時計。
【請求項２１】
前記少なくとも１つのインパルスピン（１４、７７、７９）は、１．５超の透磁率を有する常磁性材料で作製され、かつ前記歯部（６、８、７２、７３）又は前記歯（１０６、１０８）は磁化され、これによって、前記歯部と前記少なくとも１つのインパルスピンとの間の磁力結合が可能となることを特徴とする、請求項２〜４、６〜１１、１３〜１９のいずれか１項に記載の時計。
【発明の詳細な説明】
【技術分野】
【０００１】
本発明は、調速共振器のための脱進機システムに関し、より具体的には、このタイプの高振幅共振器のための脱進機システムに関する。
【背景技術】
【０００２】
時計の脱進機システムの目的は、調速共振器の天輪の振動を維持及び計数することである。これを達成するために、システムは香箱によって、及び動力鎖の末端において四番車によって供給されるエネルギを受け取り、この駆動エネルギの一部を周期的に逃がすことができ、これによって、受動的抵抗（例えば摩擦）によって失ったエネルギを共振器に与えることができる。共振器はテンプと呼ばれる慣性フライホイールを含み、その真上にはヒゲゼンマイと呼ばれるコイルばねが固定されている。
【０００３】
このタイプの調速共振器の機械的エネルギＥmは、以下の関係式で与えられる。
【０００４】
【数１】
2014206534.tif 000003
【０００５】
ここで、
−Ｊはテンプの慣性であり；
−ｆはテンプの周波数であり；
−Ａはテンプの振動振幅である。
【０００６】
時計製作技術においては、調速共振器のエネルギを増大させて、テンプの慣性Ｊの増大及び／又はテンプの振動周波数ｆの増大によりその精度及び耐衝撃性を向上させようとする傾向がある。しかしながら、これらのパラメータの増大は大きな困難を引き起こす。
【０００７】
実際、テンプの慣性Ｊを増大させるとテンプの重量も増大する傾向があり、これにより望ましくない乾燥摩擦が発生する及び／又はその空気力学特性が低下する。更に、振動周波数ｆの増大には、実質的な動力を相当に増大させる必要があり、これは時計のパワーリザーブを減少させる原因となる。また、振動周波数ｆの増大は、脱進機の機能の間隔がますます短くなることを必然的に意味し、これは動力学的及び摩擦学的に非常に困難であることが明らかである。
【発明の概要】
【発明が解決しようとする課題】
【０００８】
本発明の目的は、調速共振器のための脱進機システムの代替案を提案することにより、上述の欠点の全て又は一部を克服することであり、この代替案は、上述の困難を回避しながら、上記共振器の機械的エネルギＥmを増大させることができる。
【課題を解決するための手段】
【０００９】
従って第１の実施例によると、本発明は、ヒゲゼンマイと連携するテンプで形成された、脱進機システムと協働する共振器を含む時計に関し、脱進機システムは、テンプと同軸に配設されかつ時計の歯車列によって駆動される可動ガンギ車、第１の歯部を有する第１の固定ホイール、及び第２の歯部を有する第２の固定ホイールを含み、第１の固定ホイールは、第２の固定ホイール内において同一平面上に、閉鎖チャネルを形成する空間を残すように配設され、上記第１及び第２の固定ホイールは、可動ガンギ車と同軸に配設され、また脱進機システムは、ヒゲゼンマイの外側端部を固定するためのデバイスを含み、このデバイスは可動ガンギ車に対してヒンジ留めされる部品を含み、この部品は、ヒゲゼンマイの巻きの状態に応じて、上記外側端部の、上記第１の歯部と第２の歯部との間での径方向運動を保証し、これによって共振器を維持して、共振器の運動を時計の歯車列に伝達するよう配設されることを特徴とする。
【００１０】
第２の実施例によると、本発明は、ヒゲゼンマイと連携するテンプで形成された、脱進機システムと協働する共振器を含む時計に関し、脱進機システムは、テンプと同軸に配設されかつ時計の歯車列によって駆動される可動ガンギ車、第１の歯部を有する第１の固定ホイール、及び第１の固定ホイールの上側に設置された、第２の歯部を有する第２の固定ホイールを含み、第１の歯部は第２の歯部より小さい内径を有し、上記第１及び第２の固定ホイールは、可動ガンギ車と同軸に配設され、また脱進機システムは、ヒゲゼンマイの外側端部を固定するためのデバイスを含み、このデバイスは可動ガンギ車に対してヒンジ留めされる部品を含み、この部品は、ヒゲゼンマイの巻きの状態に応じて、上記外側端部の、上記第１の歯部と第２の歯部との間での径方向運動を保証し、これによって共振器を維持して、共振器の運動を時計の歯車列に伝達するよう配設されることを特徴とする。
【００１１】
第３の実施例によると、本発明は、ヒゲゼンマイと連携するテンプで形成された、脱進機システムと協働する共振器を含む時計に関し、脱進機システムは、テンプと同軸に配設されかつ時計の歯車列によって駆動される可動ガンギ車、第１の一連の歯、及び第２の一連の歯を含み、これら一連の歯は、円形かつ可動ガンギ車と同軸に分布しており、第１の一連の歯は、第２の一連の歯と同一平面上において、第２の一連の歯より小さい直径上に円形に分布しており、また脱進機システムは、ヒゲゼンマイの外側端部を固定するためのデバイスを含み、このデバイスは可動ガンギ車に対してヒンジ留めされる部品を含み、この部品は、ヒゲゼンマイの巻きの状態に応じて、上記外側端部の、上記第１の一連の歯と第２の一連の歯との間での径方向運動を保証し、これによって共振器を維持して、共振器の運動を時計の歯車列に伝達するよう配設されることを特徴とする。
【００１２】
これら３つの実施例では好ましくは、可動ガンギ車に対してヒンジ留めされる部品は、第１及び第２の歯部又は一連の歯と協働するための少なくとも１つのインパルスピンを含む。しかしながら、特に第２の実施例において、固定デバイスのヒンジ留め部品は、第１の固定ホイールの第１の歯部と協働するよう配設された第１のインパルスピンがその端部に固定された第１のアーム、及び第２の固定ホイールの第２の歯部と協働するよう配設された第２のインパルスピンがその端部に固定された第２のアームを含み、各アームは高さに関してオフセットできる。
【００１３】
よって、本発明によると、この脱進機システムは有利なことに、テンプの慣性Ｊ及び／又は振動周波数ｆを増大させる代わりにテンプの振動振幅Ａを増大させることで、共振器の機械的エネルギＥmを増大させることが明らかである。本発明によると有利には、関係式（１）から、テンプの振動振幅Ａは２乗されているため、振幅Ａの増大はより大きな影響を有することも明らかである。
【００１４】
なお、Ｑ係数が１０００未満の調速共振器を含む、品質係数が低い共振器においては、脱進機によって引き起こされる動作の中断は、維持角度と振動振幅との間の比の増大に伴って増加する。従って、本発明によると有利には、テンプの振幅Ａの増大によって上記中断がかなり減少することが明らかである。
【００１５】
公知のアンクル又はデテントタイプの脱進機システムでは、振幅は一般に３２０°に制限されているため、振幅のこのような増大は構造的に不可能である。更に、脱進機システムは、テンプがその平衡位置又は死点を通過する度に、テンプに一体化されたインパルスピンに作用する。
【００１６】
本発明によると有利には、所望の振幅が３２０°という公知の制限を超えて、テンプが少なくとも１回転を達成でき、数回転にわたって延長できるようなものである場合（この増大は本質的に無制限である）、本発明により、従来の脱進機におけるようにテンプではなく、ヒゲゼンマイを直接維持できる。「ヒゲゼンマイを直接維持する」とは、ヒゲゼンマイの運動によって、例えばヒゲゼンマイの外側端部の径方向運動によって、脱進機システムを始動できることを意味する。
【００１７】
本発明の他の共通の有利な特徴によると：
−ヒゲゼンマイの外側端部は、可動ガンギ車に対してヒンジ留めされた上記部品の自由端部と一体化されるか、又は上記少なくとも１つのインパルスピンと一体化され；
−可動ガンギ車は、時計の固定部品に対してボール軸受けを用いて可動に設置され；
−時計の上記固定部品は地板であり；
−テンプ及びヒゲゼンマイの内側端部は、受けと、第１の固定ホイールの幾何学的中心との間で枢動するアーバに固定され；
−可動ガンギ車は、共振器を含むフレームで形成され、テンプ及びヒゲゼンマイの内側端部は、このフレームの壁部の間で枢動するアーバに固定され、フレームは、受けと、第１の固定ホイールの幾何学的中心との間で枢動し；
−第１及び第２の固定ホイールは単一の部品として作製され；
−上記少なくとも１つのインパルスピンは磁化され、かつ歯部又は歯は１．５超の透磁率を有する常磁性材料で作製されるか、又は上記少なくとも１つのインパルスピンは１．５超の透磁率を有する常磁性材料で作製され、かつ歯部又は歯は磁化され、これによって、上記歯部と上記少なくとも１つのインパルスピンとの間の磁力結合が可能となる。
【００１８】
本発明の他の特徴及び利点は、添付の図面を参照して、非限定的な例示として挙げる以下の説明を読むことにより明らかになるであろう。
【図面の簡単な説明】
【００１９】
【図１】図１は、本発明による脱進機システムの第１の実施形態の斜視図である。
【図２】図２は、本発明による調速共振器の２回の連続した方向転換の間の脱進機システムの動作を説明する、図１の実施形態の平面図である。
【図３】図３は、本発明による調速共振器の２回の連続した方向転換の間の脱進機システムの動作を説明する、図１の実施形態の平面図である。
【図４】図４は、本発明による調速共振器の２回の連続した方向転換の間の脱進機システムの動作を説明する、図１の実施形態の平面図である。
【図５】図５は、本発明による調速共振器の２回の連続した方向転換の間の脱進機システムの動作を説明する、図１の実施形態の平面図である。
【図６】図６は、本発明による調速共振器の２回の連続した方向転換の間の脱進機システムの動作を説明する、図１の実施形態の平面図である。
【図７】図７は、図２〜６に関する説明に付随するグラフである。
【図８】図８は、本発明による調速共振器にかかるトルクと、スイスレバーアンクル脱進機システムと協働する調速共振器にかかるトルクとを比較したグラフである。
【図９】図９は、図１による脱進機システムの断面図である。
【図１０】図１０は、第２の実施形態による脱進機システムの断面図である。
【図１１】図１１は、第３の実施形態による脱進機システムの平面図である。
【図１２】図１２は、図１１のXII−XIIに沿った断面図である。
【図１３】図１３は、図１１のXIII−XIIIに沿った断面図である。
【図１４】図１４は、第４の実施形態による脱進機システムの平面図である。
【図１５】図１５は、第５の実施形態による脱進機システムの平面図である。
【図１６】図１６は、図１５のXVI−XVIに沿った断面図である。
【図１７】図１７は、図１５の部分斜視図である。
【発明を実施するための形態】
【００２０】
本発明の発振器、即ち調速共振器１５に連結された脱進機システム１８の斜視図である図１に、本発明の第１の実施形態を示す。本発明による共振器１５は、ヒゲゼンマイ２と連携するテンプ１を含む。
【００２１】
図面を明瞭にするため、及びヒゲゼンマイ２の下側にある要素が隠れてしまうのを防ぐため、ヒゲゼンマイ２は、そのコイルの数を制限した状態でのみ図示している。しかしながらヒゲゼンマイ２は当然、本発明の範囲から逸脱することなく、より多数のコイルを含んでよい。ヒゲゼンマイ２の内側端部５０は、例えば一体型ヒゲ玉（図９により明瞭に示す）を用いてアーバ４３に固定される。図１に示す実施例は、テンプ１もアーバ４３に固定されることを示す。
【００２２】
本発明によると、脱進機システム１８は、共振器１５に同軸に配設された可動ガンギ車３を含む。図１に示す実施例では、可動ガンギ車３は、時計の駆動力を供給する香箱と噛み合う時計の歯車列に属する四番車４によって駆動される。
【００２３】
脱進機システム１８は更に、外側歯部６を有する第１の固定ホイール５及び内側歯部８を有する第２の固定ホイール７を含む。図１に示す実施例では、脱進機システム１８の２つの固定ホイール５、７は、可動ガンギ車３に同軸に配設され、ネジ１６、１７を用いて、例えば地板等の時計の固定点に固定される。更に、第１の固定ホイール５及び第２の固定ホイール７は同一平面上に配設され、第１のホイール５は第２のホイール７の内側に空間を残して配置され、実質的にノッチ付きの対称な閉鎖チャネル５６を形成し、この閉鎖チャネル５６内でインパルスピン１４が運動できることがわかる。
【００２４】
本発明によると有利には、可動ガンギ車３は、ヒゲゼンマイ２を巻くために上記ゼンマイの外側端部１０を固定するためのデバイス９を備える。更に、固定デバイス９は、ヒゲゼンマイ２の巻きの状態に応じて、外側端部１０の径方向運動を保証するよう配設され、この外側端部１０は、第１の歯部５及び第２の歯部７のうちの一方の歯部６並びに第１の歯部５及び第２の歯部７のうちのもう一方の歯部８と交互に協働するように作製される。この径方向運動によって、脱進機システム１８は、共振器１５の維持及び四番車４の送りを保証できることを理解されたい。
【００２５】
図９は、図１の主断面図である。図９の実施例では、可動ガンギ車３は一体型内側要素４０と連携する。可動ガンギ車３及び内側要素４０のアセンブリは、好ましくはボール軸受け４１を用いることによって、例えば地板等の時計の固定点４２に対して回転運動可能となっている。
【００２６】
図９により明瞭に示すように、テンプ１及びヒゲゼンマイ２の内側端部５０は、受け４４と、第１の固定ホイール５の幾何学的中心との間で枢動するアーバ４３に固定され、これは以下に説明するように、実際にそうであるか又は仮想的なものであるかに関わらない。
【００２７】
好ましくは、本発明の第１の実施形態によると、固定デバイス９は、ヒゲゼンマイ２の外側端部１０の径方向運動を保証するためのヒンジ留めバー１１を含む。バー１１は、一方では可動ガンギ車３が支持する枢動ヒゲ持ち１２上、他方ではヒゲゼンマイ２の外側端部１０上に設置される。図１に示す実施例では、ヒゲゼンマイ２の外側端部１０は、実質的にノッチ付きの対称な閉鎖チャネル５６内で運動可能である、バー１１の自由端部１３に嵌合するよう設計されたインパルスピン１４と一体である。好ましくは、インパルスピン１４はヒゲゼンマイ２と同一の材料で形成されるか、又はルビーをベースとする。
【００２８】
インパルスピン１４がチャネル５６内で運動する際、固定ホイール５、７に取り付けられた歯部６、８のうちの一方６からインパルスピン１４が解放され、続いてもう一方８から解放されるのを容易にするために、インパルスピン１４は、円形又は楕円形断面を有する円筒形ピンの形状としてよい。
【００２９】
本発明による脱進機システム１８の動作について、図２〜６及び図７のグラフを参照して説明する。これらの図は、四番車４の２回の連続する送りを保証するヒゲゼンマイ２の２回の連続する振動の間のインパルスピン１４の経路を説明する。図７では、カーブＡは、共振器１５が移動する角度（°）を時間（秒）に対して示し、カーブＢは、可動ガンギ車３が移動する角度（°）を時間（秒）に対して示す。
【００３０】
ａ）図２では、ヒゲゼンマイ２は最大収縮状態（図７の点５２）であり、ヒゲゼンマイ２はここから第１の膨張段階（図７の領域５３）に入り、この段階はヒゲゼンマイが平衡又は死点５４に到達すると終了し、この段階の間、インパルスピン１４は第１の固定ホイール５の外側歯部６に対してロックされた状態に維持される。
【００３１】
ｂ）図３では、ヒゲゼンマイ２は平衡位置（図７の点５４）から第２の膨張段階（図７の領域５５）に入り、この段階の始点では、ヒゲゼンマイ自体の弾性変形によってインパルスピン１４が径方向に押圧され、第１の固定ホイール５の外側歯部６から外れて、第２の固定ホイール７の２つの内側歯部８の間のチャネル５６内へと移動する。よって、インパルスピン１４は、ホイール５、７に対するその径方向運動によって自由となることがわかる。
【００３２】
ｃ）図４では、解放されたインパルスピン１４及びそれに付随して可動ガンギ車３が、時計の香箱によって駆動される四番車４によって駆動される。その結果、可動ガンギ車３は第１のインパルス角度αだけ運動し、これによってインパルスピン１４は第２の固定ホイール７の内側歯部８に対して当接してロックされる。この運動により、ヒゲゼンマイ２はその第２の膨張段階５５を通過し、その後インパルスピン１４が同一の内側歯部８に対してロックされたままとなる第１の収縮段階（図７の領域５８）を通過する。第２の膨張段階５５及び第１の収縮段階５８は、テンプ１の第１の補弧を画定する。
【００３３】
ｄ）図５では、ヒゲゼンマイがその平衡位置（図７の点５９）に到達すると、第１の収縮段階５８が終了し、その後ヒゲゼンマイ２は第２の収縮段階（図７の領域６０）に入り、この段階の始点では、インパルスピン１４は径方向に押圧されて第２の固定ホイールの内側歯部８から外れ、第１の固定ホイール５の２つの外側歯部６の間のチャネル５６内へと移動する。よって、インパルスピン１４は、ホイール５、７に対するその径方向運動によって再び自由となることが明らかである。
【００３４】
ｅ）図６では、その径方向運動によって自由となったインパルスピン１４及びそれに伴って可動ガンギ車３は、四番車４によって駆動される。その結果、可動ガンギ車３は第２のインパルス角度βだけ運動し、これによってインパルスピン１４は第１の固定ホイール５の新たな外側歯部６に対して当接してロックされる。この運動により、ヒゲゼンマイ２はその第２の収縮段階６０を通過し、その後インパルスピン１４が上記新たな外側歯部６に対してロックされたままとなる新たな第１の膨張段階（図７の、領域５３と同様の領域６３）を再び通過する。第２の収縮段階６０及び新たな第１の膨張段階６３は、テンプ１の第２の補弧を画定する。
【００３５】
図１〜６に示す第１の実施形態において、図７は、本発明の主たる目的、即ちテンプの振動振幅Ａの増大が達成されることを示す。実際、位置５２と、領域５５、５８間の方向転換点との間で、テンプ１の振幅Ａは５５０°程度となり、これはスイスレバーアンクルタイプ脱進機システムで達成される３２０°を大幅に超える。また、振幅Ａのこのような増大は、共振器１５を維持することによって、即ち、従来のスイスレバーアンクル脱進機のようにテンプ１自体によってではなくヒゲゼンマイ２の外側端部１０の牽引力によってヒゲゼンマイ２を介して直接エネルギを供給することによって、達成されることが明らかである。従って、本発明によると有利には、天真にローラを設置する必要はもはやなくなる。
【００３６】
図８は、本発明の共振器１５に伝達されるトルク（線Ｅ）と、スイスレバーアンクルタイプ脱進機システムに取り付けられたエネルギ的に同等の調速共振器に伝達されるトルク（線Ｆ）とを、単位ミリニュートンミリメートル（ｍＮｍｍ）で表して比較したグラフである。該トルクが印加される間の角度において本発明の共振器１５に供給されるトルクが、従来の脱進機システムの調速共振器に供給されるトルクよりも相当に大きく（最大０．２５ｍＮｍｍ程度）、これは本発明によるテンプ１がより速く加速することを説明しており、これに伴って、テンプがより大きな振動振幅を達成できることが観察される。また、本発明によると有利には、静止点を通過する際に瞬間的な速度がより大きくなることも明らかである。インパルスによって維持されるシステムに関して、瞬間的な速度がより低いことは、壊滅的かつ本質的な制限である。
【００３７】
図７はまた、図４、６にそれぞれ示されている角度α、βはそれぞれほぼ３０°であり、ほぼ４Ｈｚの周波数において（α＋β）が０．２５秒で通過されることを示す。その結果、可動ガンギ車３はほぼ１．５秒で１回転する。よって、この同一の回転運動は、トゥールビヨン方式で回転する共振器１５に同様の影響を及ぼすこと、即ちこの回転により、共振器１５に対する重力の影響を平均化して補正できることが明らかである。
【００３８】
従って、本発明によると有利には、テンプ１の振動振幅Ａの増大による機械的エネルギＥmの増大に加えて、脱進機システム１８は重力の影響も補正する。また、脱進機システム１８は、更に高い精度での高い周波数を有する運動の自動開始を保証することができ、維持用インパルスを用いずに安定性及び品質係数を向上させ、構造上不可避であるノッキング及びオーババンキングを排除し、脱進機機能の効率を改善し（損失がホゾ及び１つのホイールセットにおける摩擦に由来するもののみとなるため）、そしてアンクルを省略することによって、注油が必要な構成部品の数を減少させる。
【００３９】
当然、本発明はこの第１の実施形態に限定されるものではなく、上述の効果及び利点を保持したまま様々な実施例及び代替例が可能である。特に、本発明による脱進機システム２１の第２の実施形態を図１０に示す。この第２の実施形態では、第１の実施形態の可動ガンギ車３を、フレーム４５の外側に形成された歯部１９に置き換える。フレーム４５は、第１の実施形態の共振器１５と同一のタイプの共振器２０を含む。よって、テンプ１及びヒゲゼンマイ２の内側端部５０は、フレーム４５の壁部４７、４８の間で枢動するアーバ４６に固定される。図１０に見られるように、脱進機システム２１のフレーム４５は、受け４９と、第１の固定ホイール５の中心との間に枢動可能に設置される。
【００４０】
本発明による脱進機システム２２の第３の実施形態を図１１〜１３に示す。脱進機システム２２は、第１の固定ホイール５及び第２の固定ホイール７が単一の部品で作製される点で、上記２つの実施形態とは異なる。
【００４１】
この第３の実施形態を更に説明するために、図１２、１３はそれぞれ、図１１のXII及びXIIIに沿った断面図を示す。第３の実施形態の共振器２３は、初めの２つの実施形態の共振器１５、２０と同一のタイプのものである。よってテンプ１はここでも、釣り合いネジ７０に嵌合し、４本のアーム７１を用いてアーバに接続された状態で示されている。アーバ４３は、受け４４と、ユニット５１と一体である軸受け７２との間に枢動可能に設置され、このユニット５１には、初めの２つの実施形態では固定ホイール５、７によって形成されていた外側歯部６及び内側歯部７が単一の部品として組み込まれる。
【００４２】
テンプ１はヒゲゼンマイ２４と連携しており、このヒゲゼンマイ２４は第１の実施形態のヒゲゼンマイ２より多くのコイルを含み、内側コイルの端部５０は例えばヒゲ玉を用いてアーバ４３に固定される。外側コイルの端部１０は、バー１１の自由端部１３に固定されたインパルスピン１４に取り付けられ、上記バーは、第１の実施形態と同様に可動ガンギ車３が支持するヒゲ持ち１２にヒンジ留めされる。可動ガンギ車３は、第１の実施形態と同様に四番車４と噛み合う歯部７３を備え、ボール軸受け４１の内側要素４０と連携し、ボール軸受け４１の外側要素４２は、例えば時計の地板等の時計の固定点に対して固定されるユニット５１と一体である。
【００４３】
本発明の第４の実施形態を図１４に示す。第４の実施形態の共振器２５は、初めの３つの実施形態の共振器１５、２０、２３と同一のタイプのものである。第１の固定ホイール５及び第２の固定ホイール７が同一平面上に配置されている上記３つの実施形態で示したものとは対照的に、第４の実施形態では、脱進機システム２５は、互いに上下に重ねて配置された第１の固定ホイール７０及び第２の固定ホイール７１を含む。第１の固定ホイール７０及び第２の固定ホイール７１はそれぞれ、互いに重ねられた第１の内側歯部７２及び第２の内側歯部７３を含む。
【００４４】
また図１４では、第１の歯部７２が第２の歯部７３より小さい内径を有することが観察される。第４の実施形態では、固定デバイス７４は初めの３つの実施形態のデバイス９とは異なる。よって、固定デバイス７４は、可動ガンギ車３が支持するヒゲ持ち１２上にヒンジ留めされたレバー７５を含む。レバー７５は、第１の固定ホイール７０の第１の歯部７２と協働するよう配設された第１のインパルスピン７７がその端部に固定された第１のアーム７６を備える。レバー７５はまた、第２の固定ホイール７１の第２の歯部７３と協働するよう配設された第２のインパルスピン７９がその端部に固定された第２のアーム７８を含む。好ましくは、各インパルスピン７７、７９はヒゲゼンマイ２と同一の材料で形成されるか、又はルビーをベースとする。
【００４５】
図１４は、第１の実施形態のタイプのヒゲゼンマイ２を最大膨張状態で示す。第１のインパルスピン７７は、第１の固定ホイール７０の第１の歯部７２に対してロックされたまま保持されている。ヒゲゼンマイ２が収縮すると、インパルスピン７７は径方向内側に運動し、これによってレバー７５が反時計回りに枢動して、第１のインパルスピン７７が第１の歯部７２から解放される。
【００４６】
そして、レバー７５の第２のインパルスピン７９は２つの第２の歯部７３を隔てる空間に入り、これによって可動ガンギ車３が解放され、続いて可動ガンギ車３は、四番車４によって駆動されることによって、第２のインパルスピン７９が第２の固定ホイール７１の第２の歯部７３に対して当接するまで、第１のインパルス角度だけ運動する。
【００４７】
第２のインパルスピン７９が第２の歯部７３から解放され、続いてレバー７５が時計回りに枢動すると、ヒゲゼンマイ２が膨張段階に移ることにより、第２のインパルス角度が通過される。第１のインパルスピン７７は、２つの第１の歯部７２を隔てる空間へと落ち、可動ガンギ車３は、四番車４によって駆動されることによって、第１のインパルスピン７７が第１の固定ホイール７０の第１の歯部７２に対して当接するまで、第２のインパルス角度だけ運動する。この第４の実施形態では、固定ホイール７０、７１は互いに上下に重ねて配設されているため、第２のインパルスピン７９は第１のインパルスピン７７に対して短い長さを有するはずであることに留意されたい。
【００４８】
当然、本発明は図示した実施例に限定されるものではなく、当業者に自明である様々な実施例及び代替例が可能である。特に、上で提示した４つの実施形態を組み合わせて、これら４つの実施形態に共通の上述の効果及び利点を保持したまま、実装における制約に適合させることができる。非限定的な例として、第４の実施形態の第１の固定ホイール７０及び第２の固定ホイール７１を、第３の実施形態で提案したように単一の部品として作製してよい。
【００４９】
レバー７５又はバー１１によって可動ガンギ車３、１９、４５に対してヒンジ留めされた部品を、ほぼ半円筒形の部品など、異なる形状の部品で置き換えることもできる。
【００５０】
第４の実施形態のように、複数のインパルスピン１４、７７、７９を含む実施形態では、可動ガンギ車３、１９、４５に対してヒンジ留めされた部品７５のアーム７６、７８の高さをオフセットさせることも考えることができる。
【００５１】
更に、第１及び第２の歯部６、８、７２、７３は、上記少なくとも１つのインパルスピン１４、７７、７９を停止させる及びロックするための停止部材又は接触表面として理解するべきである。これに関して、第１及び第２の歯部６、８、７２、７３は、上で説明した動作に従って上記少なくとも１つのインパルスピン１４、７７、７９に接触するように、ピン、即ち上記少なくとも１つのインパルスピン１４、７７、７９に対してほぼ平行に延在するロッドで形成してよい。よって、第１及び／又は第２の歯部６、８、７２、７３はある意味で骨格に似ていてよく、即ち全体が中実でなくてよいことが明らかである。
【００５２】
ここで、本発明による脱進機システム１２２の第５の実施形態を図１５〜１７に示す。脱進機システム１２２は、歯部の間の空間が完全に開いている点で上述の実施形態とは異なり、より一般的には、歯部の有用な表面しか使用しないため、第１及び第２の固定ホイールという概念はもはや適用できない。
【００５３】
この第５の実施形態を更に説明するために、図１６、１７はそれぞれ、図１５のXVI−XVIに沿った断面図及び図１５の要素の一部を省略した図を示す。第５の実施形態の共振器１２３は、第３の実施形態の共振器２３と同様のものである。従ってテンプ１０１はここでも、２本のアーム１７１を用いてアーバ１４３に接続された状態で示されている。アーバ１４３は、受け１４４と、ユニット１５１と一体である軸受け１７２との間に枢動可能に設置され、このユニット１５１には外側歯部１０６及び内側歯部１０８が単一の部品として組み込まれる。
【００５４】
テンプ１０１はヒゲゼンマイ１２４と連携しており、このヒゲゼンマイ１２４は第１の実施形態のヒゲゼンマイ２より多くのコイルを含み、内側コイルの端部１５０は例えばヒゲ玉を用いてアーバ１４３に固定される。外側コイルの端部１１０は、ヒンジ留め部品１１１の自由端部１１３に固定されたインパルスピン１１４に取り付けられる。
【００５５】
部品１１１は、他の実施形態と同様に可動ガンギ車１０３が支持するヒゲ持ち１１２にヒンジ留めされる。可動ガンギ車１０３は、他の実施形態と同様に四番車４と噛み合う歯部１７３を備え、ボール軸受け１４１の内側要素１４０と連携し、ボール軸受け１４１の外側要素１４２は、例えば時計の地板等の時計の固定点に対して固定されるユニット１５１と一体である。
【００５６】
図１７により明瞭に示すように、ユニット１５１は第１の一連の歯１０６及び第２の一連の歯１０８を含む。これら一連の歯１０６、１０８は、円形かつ可動ガンギ車１０３と同軸に分布している。更に、第１の一連の歯１０６は、第２の一連の歯１０８と同一平面上において、第２の一連の歯１０８より小さい直径上に円形に分布している。よって、他の４つの実施形態で提示された効果及び利点が保持されることは明らかである。
【００５７】
図１７はまた、インパルスピン１１４の径方向クリアランスが、可動ガンギ車１０３の内径からアーバ１４３まで片持ち状態で延在するプレート１８１に形成された溝１８０によって制限されることを示す。よって、振幅が、インパルスピン１１４と、溝１８０の周りのプレート１８１の壁部との間の停止部材によって制限されることが明らかである。
【００５８】
最後に、上述の実施形態におけるロックを改善するために、上記歯部と上記少なくとも１つのインパルスピンとの間に磁力結合を設けてもよい。従って例えば、上記少なくとも１つのインパルスピン１４、７７、７９を磁化し、かつ歯部６、８、７２、７３若しくは歯１０６、１０８を１．５超の透磁率を有する常磁性材料で作製してよく、又はこれと反対に、上記少なくとも１つのインパルスピン１４、７７、７９を１．５超の透磁率を有する常磁性材料で作製し、かつ歯部６、８、７２、７３若しくは歯１０６、１０８を磁化してよい。
【００５９】
当然、上述の実施形態及び／又は代替例及び／又は実施例を、所望の応用に応じて互いに組み合わせることができる。
【符号の説明】
【００６０】
１、１０１                     テンプ
２、２４、１２４               ヒゲゼンマイ
３、１０３                     可動ガンギ車
４                             四番車
５、７０                       第１の固定ホイール、釣り合いネジ
６、７２                       第１の歯部
７、７１                       第２の固定ホイール
８、７３                       第２の歯部
９、７４、１０９               固定デバイス
１０、１１０                   ヒゲゼンマイの外側端部
１１、７５、１１１             ヒンジ留め部品
１２、１１２                   ヒゲ持ち
１３、１１３                   ヒンジ留め部品の自由端部
１４、７７、７９、１１４       インパルスピン
１５、２０、２３、２６、１２３ 共振器
１６、１７                     ネジ
１８、２１、２２、２５、１２２ 脱進機システム
１９                           歯部
４０、１４０                   ボール軸受けの内側要素
４１、１４１                   ボール軸受け
４２、１４２                   ボール軸受けの外側要素
４３、１４３                   アーバ
４４、４９、１４４             受け
４５                           フレーム
４６                           アーバ
４７、４８                     フレームの壁部
５０、１５０                   ヒゲゼンマイの内側端部
５１、１５１                   ユニット
５２                           最大収縮状態
５３                           第１の膨張段階
５４                           死点
５５                           第２の膨張段階
５６                           閉鎖チャネル
５８                           第１の収縮段階
５９                           平衡位置
６０                           第２の収縮段階
６３                           新たな第１の膨張段階
７１                           アーム
７６                           第１のアーム
７８                           第２のアーム
１０６                         第１の一連の歯
１０８                         第２の一連の歯
１８０                         溝
１８１                         プレート
【図１】
2014206534.tif 000004
【図２】
2014206534.tif 000005
【図３】
2014206534.tif 000006
【図４】
2014206534.tif 000007
【図５】
2014206534.tif 000008
【図６】
2014206534.tif 000009
【図７】
2014206534.tif 000010
【図８】
2014206534.tif 000011
【図９】
2014206534.tif 000012
【図１０】
2014206534.tif 000013
【図１１】
2014206534.tif 000014
【図１２】
2014206534.tif 000015
【図１３】
2014206534.tif 000016
【図１４】
2014206534.tif 000017
【図１５】
2014206534.tif 000018
【図１６】
2014206534.tif 000019
【図１７】
2014206534.tif 000020